(57)【特許請求の範囲】
【請求項１】
帽体内側周縁部に沿って縫着されたスベリを有し、該スベリと帽体内面との間に可撓性を有するシート状の機能付加部材固定部材を設け、該機能付加部材固定部材はその一縁側のみにおいて帽体内面に接合されることにより自在に折り返し可能であると共に、該機能付加部材固定部材が折り返されることで同機能付加部材固定部材裏面の面固定手段がスベリの表側に現れるようにしたことを特徴とする機能追加型帽体。
【請求項２】
機能付加部材固定部材が、機能付加部材を支持し得る強度，寸法安定性を有する可撓性シート状素材からなり、帽体内面に接合される一縁側と、面固定手段を設けた機能付加部材固定部側との略中間部に位置した折曲部分が、前記機能付加部材固定部側に比べて幅が狭く形成されている請求項１記載の機能追加型帽体。
【発明の詳細な説明】
【０００１】
【発明の属する技術分野】
本発明は、帽子、ヘルメット等の帽体に冷却部材や汗取り、日除けなどの機能付加部材を取り付け可能な機能追加型帽体に関する。
【０００２】
【従来の技術】
従来、帽体に冷却部材や汗取り等の物品を取り付ける方法としては、（１）スベリに両面粘着テープや面ファスナを用いて固定する、（２）ハネなどの被係止片をスベリと帽体との間に差し込み係止する、（３）冷却部材や吸汗素材など機能付加部材自体でスベリを構成する、または、これらの部材を縫着等の手段でスベリに恒久的に固定する等が有り、更に、冷却部材の場合には（４）帽体内に設けたポケットに収容する場合が有る。
【０００３】
これらのうち上記（１）は、物品を取り外した際に両面粘着テープや面ファスナが頭部と接蝕し違和感，不快感を生じるという問題があった。また、上記（２）は、違和感，不快感を生じない反面、固定力が小さく外れ易いという問題があった。また、上記（３）は、恒久的に固定されているため機能付加部材の取外し、交換が不可能であり、機能用途が限定されるという問題がある。更に、上記（４）も他の用途での使用はできず、機能用途が限定される。
【０００４】
【発明が解決しようとする課題】
本発明は従来技術の上記の点に鑑みて、種々の機能及び形状を有する機能付加部材を着脱自在且つ安定的に固定できると共に、上記部材を取り外した際にも着用感を損ねず、取り付け、非取り付け何れの状態においても使用感に優れた機能追加型帽体を提供することを目的としてなされたものである。
【０００５】
【課題を解決するための手段】
上記目的を達成するために、帽体内側周縁部に沿って縫着されたスベリを有し、該スベリと帽体内面との間に可撓性を有するシート状の機能付加部材固定部材を設け、該機能付加部材固定部材はその一縁側のみにおいて帽体内面に接合されることにより自在に折り返し可能であると共に、該機能付加部材固定部材が折り返されることで同機能付加部材固定部材裏面の面固定手段がスベリの表側に現れるようにした。そして、機能付加部材固定部材が、機能付加部材を支持し得る強度，寸法安定性を有する可撓性シート状素材からなり、帽体内面に接合される一縁側と、面固定手段を設けた機能付加部材固定部側との略中間部に位置した折曲部分が、前記機能付加部材固定部側に比べて幅が狭く形成されている。
【０００６】
【発明の実施の形態】
図１乃至図６に本発明実施形態の帽体１を示す。図において、帽体１は、該帽体１の内側周縁部に沿って縫着されたスベリ２を有し、帽体１の人体前頭部に当接する部分のスベリ２と帽体１内面との間に固定部材３が接合されている。
【０００７】
固定部材３は、帽体としての通常の利用において着用感を損ねず、且つ、可撓性を有すると共に後述する機能付加部材４を安定的に支持できる強度・保形性を有するシート材、例えばプラスチックフィルムやプラスチックシート、編織物，不織布などの布帛、プラスチックフィルムやプラスチックシートを編織物，不織布等に接合して補強したもの等からなり、その一縁側の基端部１１において帽体内面のスベリ２の裏側、帽体１とヒサシ５との縫代６に縫着、接着、熱融着等の手段により接合されている。
【０００８】
また、固定部材３は使用者の額部分をカバーする汗取り或は冷却等の機能を発揮する機能付加部材４に対応して幅が広い先端側の部材固定部１２に対し、基端部１１の幅が狭く形成され、且つ、その略中間部に位置した折曲部分１３は更に幅が狭く形成されることで、プラスチックフィルムのように面剛性が有る固定部材３を帽体１内部の３次元的な曲面に沿って比較的容易に折曲可能としている。
【０００９】
更に、図３及び図６に示すように基端部１１はスベリ２に沿って湾曲した円弧状をなし、且つ、折曲部分１３において折り返されることで基端部１１及びスベリ２とほぼ重合する部材固定部１２も同様に円弧状をなしている。そして、折り返した際に帽体１の内表面（スベリ２の表面）に現れる前記部材固定部１２の裏面には、機能付加部材４を着脱自在に固定するための面ファスナ１４（面固定手段）を設けている。
【００１０】
機能付加部材４は、帽体１に、冷却，汗取り，日除けその他の機能を付加すべく取り付けられる部材であり、帽体１と人体頭部との間に介在させるものであるため、基本的に平坦な形状をなし、その裏面側に機能付加部材４を帽体１に着脱自在に固定するための面固定手段として、前記面ファスナ１４に対応した面ファスナ１５を適宜手段で固定してある。
【００１１】
上記のように構成された帽体１は、機能付加部材４の非使用時には図１に示すように固定部材３を上方に真っ直ぐ伸ばしておくことで面ファスナ１４が帽体１の内表面に現れず、通常の帽子としての着用感を損ねることが無い。固定部材３が実施形態の如くプラスチックフィルムのような適度な面剛性のある素材であれば、帽体１の内面に沿って周方向に湾曲状態となることで容易に折れ曲がらず、帽子の芯材としての機能も有する。
【００１２】
そして、帽体１に機能付加部材４を取付ける場合には、固定部材３を折り曲げ部Ｂにおいて下方に折り返してスベリ２の表面に出し、面ファスナ１４と機能付加機構４の面ファスナ１５とを接合し機能付加部材４に固定部材３を取付ける。この際、折曲部分１３を真っ直ぐに伸ばせば比較的容易に折曲でき、且つ、前記同様一旦折り返してしまえば周方向に湾曲状態となることで折曲状態が保持され、機能付加部材４を安定的に支持できる。
【００１３】
機能付加部材４は、特に限定されるものではないが、以下のようなものが想定される。
冷却部材としては、（１）粉末状，粒状，繊維状等の形態の超吸水性高分子または、レーヨン等の親水性繊維，異形断面繊維等の含水繊維など、水をため込む性質を有する繊維を、不織布等の透水性布帛で包覆し、使用前に予め水を含ませ、その蒸発潜熱を利用し冷却するもの、（２）固体−液体間の相変換潜熱を利用し、使用前に冷凍庫などで冷却されたもの、（３）袋内に非接触状態で封入された水剤，寒剤等の薬液を接触させ冷却反応を起こさせるもので、例えば、薬液棒を、使用前に折ることで化学反応を開始させ、瞬間急速冷却するもの、等がある。
尚、上記（２），（３）では、通常、冷却部材を直接取り付けずに、面ファスナ１５を付けた適宜の袋体に収容し、該袋体を固定部材３の面ファスナ１４に固定する。
【００１４】
汗取り部材としては、（１）タオル，綿布等の天然吸汗素材、（２）レーヨン等の親水性，吸水性に優れた合成繊維、（３）繊維状超吸水性高分子吸収体等の合成物を活用した吸汗素材、等がある。
【００１５】
日除けとしては、（１）タオル，綿布等の天然素材で首に当たる際の肌触りのよいもの、（２）紫外線防止効果（ＵＶカット）を有する素材で肌触りのよいもの、（３）銀メッシュ、アルミコートなど太陽光線を反射するもの、等がある。
【００１６】
更に、図７に示す実施形態の帽体１′如く、固定部材３ａの面ファスナ１４ｂに対応した帽体１′の内表面に面ファスナ１４ａを設け、非使用時には面ファスナ１４ａと１４ｂとを接合して固定部材３ａを帽体１′の内表面に固定しておき、帽体１′に機能付加部材４ａを取付ける際には固定部材３ａを図８に示す如く下方に折り返し、面ファスナ１４ａ，１４ｂと機能付加部材４ａの面ファスナ１５ａ，１５ｂとを夫々接合して機能付加部材４ａを帽体１′に固定することもできる。
【００１７】
次に、図９乃至図１１に示す第３実施例は機能付加部材として日除けタレ２４を追加可能な帽体２１の実施形態を示すものである。図において帽体２１は、後側中央にサイズ調節用のアジャスター２２を有すると共に、その左右両側の帽体内面に固定部材２３，２３を設けている。各固定部材２３，２３は基本的に先述した固定部材３と同構造でその幅を縮小した形状をなし、各固定部材２３，２３の裏面には面固定手段として面ファスナ３４を設けている。
【００１８】
このような帽体２１ではアジャスター２２の左右両側に固定部材２３，２３を独立して設け、且つ、面固定手段として任意の位置で接合できる面ファスナ３４を設けているので、アジャスター２２としてのサイズ調節機能を全く損なわずに着脱自在の日除けタレ２４を追加可能である。
【００１９】
尚、面固定手段としては以上述べた面ファスナ以外に、両面粘着テープ等の粘着剤、スナップやボタン等を利用できる。また、上記各実施形態では、帽体の前側及び後側に機能付加部材４，４ａ，４ｃ，４ｄ，４ｆ，４ｇ，２４を取り付ける場合を示したが、帽体の他の部位、更には上記以外の帽体、例えばヘルメットやそのインナーキャップ、毛糸帽、バンダナ、バイザー等に実施することも可能である。
【００２０】
【発明の効果】
本発明の機能追加型帽体は、以上述べたように構成されているので、冷却，吸汗、日除け等、種々の機能，形状を有する機能付加部材を着脱自在且つ安定的に固定できると共に、取り外した際にも帽体の着用感を損ねず、取付け、非取付け何れの状態においても使用感にも優れている。また、機能用途が限定されず使用時期、使用目的に応じて機能付加部材を選択、交換でき汎用性に優れ経済的である。
【図面の簡単な説明】
【図１】  本発明実施形態の機能追加型帽体の機能付加部材を外した通常の帽体としての状態を示す側断面図である。
【図２】  本発明実施形態の機能追加型帽体に機能付加部材を取付ける手順を示す要部側断面図である。
【図３】  本発明実施形態の機能追加型帽体の機能付加部材を外した通常の帽体としての状態示す図１のＡ方向矢視図である。
【図４】  本発明実施形態の機能追加型帽体の固定部材を折り返した状態を示す図１のＡ方向矢視図である。
【図５】  本発明実施形態の機能追加型帽体に機能付加部材を取り付けた状態を示す側断面図である。
【図６】  固定部材を示す正面図である。
【図７】  本発明第２実施形態の機能追加型帽体の機能付加部材を外した通常の帽体としての状態を示す要部側断面図である。
【図８】  本発明第２実施形態の機能追加型帽体に機能付加部材を取付ける手順を示す要部側断面図である。
【図９】  本発明第３実施形態の機能追加型帽体の機能付加部材を外した通常の帽体としての状態を示す側断面図である。
【図１０】  本発明第３実施形態の機能追加型帽体の機能付加部材を取り付けた状態を示す図１７のＢ方向矢視図である。
【図１１】  本発明第３実施形態の機能追加型帽体の機能付加部材を取り付ける手順を示す側断面図である。
【符号の説明】
１，１′，２１  帽体
２  スベリ
３，３ａ，３ｃ，３ｄ，３ｅ，３ｆ，３ｇ，７，２３  固定部材
４，４ａ，４ｃ，４ｄ，４ｆ，４ｇ，２４  機能付加部材
１１，３１  基端部
１２，３２  部材固定部
１３，３３  折曲部分
１２ｃ  張出部分
１２ｅ，１２ｇ  クリップ（小張出部分）
１２ｆ  小張出部分
１４，１４ａ，１４ｂ，１５，１５ａ，１５ｂ，３４，３５，７４  面ファスナ（面固定手段）
１４ｃ，１４ｆ，１４ｇ  ポケット状固定部
１４ｄ  帯状固定部
２２  アジャスター
【図１】
0003797130.tif 000002
【図２】
0003797130.tif 000003
【図３】
0003797130.tif 000004
【図４】
0003797130.tif 000005
【図５】
0003797130.tif 000006
【図６】
0003797130.tif 000007
【図７】
0003797130.tif 000008
【図８】
0003797130.tif 000009
【図９】
0003797130.tif 000010
【図１０】
0003797130.tif 000011
【図１１】
0003797130.tif 000012